(57)【要約】【課題】発呼端が使用する発呼番号が原初発呼番号であるか否かを判断し、フィルタリングすることができる、非原初発呼番号をフィルタリングする装置の提供。【解決手段】本考案の非原初発呼番号をフィルタリングする装置は、電信ネットワークで相互接続された少なくとも１組の発呼端と着呼側業者を含んで構成され、前記発呼端は発呼モジュールを備え、前記発呼モジュールは通話を行うための発呼信号を生成でき、かつ前記発呼信号は前記電信ネットワークに送信され、かつ前記呼信号が前記電信ネットワークを介して前記着呼側業者のフリーダイヤル電話モジュールに送信され、前記発呼信号が送信されるフィルタリング装置がその番号が原初発呼番号であるか否かを検知し、かつ非原初発呼番号をフィルタリングすると共に、原初発呼番号でサービスユニットのオン・オフ、授権、データ取得がなされるよう確保し、人々の権益と金錢上の侵害および損失を回避できる。【選択図】図１
0003153590.tif 000002
【実用新案登録請求の範囲】
【請求項１】
非原初発呼番号をフィルタリングする装置であって、電信ネットワークで相互接続された少なくとも１つの発呼端と着呼側業者を含んで構成され、そのうち、
前記発呼端が発呼信号を生成できる発呼モジュールを備え、前記発呼モジュールが前記発呼信号を前記電信ネットワークに送信でき、
前記着呼側業者はフリーダイヤル電話に設定できるフリーダイヤル電話モジュールを備え、前記フリーダイヤル電話モジュールと前記電信ネットワークが接続され、前記電信ネットワークが前記発呼モジュールの前記発呼信号を前記フリーダイヤル電話モジュールに送信でき、かつ前記着呼側業者にフィルタリング装置が設置され、前記フィルタリング装置内に前記発呼端の前記発呼信号が原初発呼番号であるか否かを検知できる検知モジュールが設置されたことを特徴とする、非原初発呼番号をフィルタリングする装置。
【請求項２】
そのうち、前記フィルタリング装置に信号接続されたサービスモジュールを設けることができ、前記サービスモジュールが少なくとも一種類の前記発呼信号で権限とサービスのオン・オフおよび授権を行うサービスユニットを有することを特徴とする、請求項１に記載の非原初発呼番号をフィルタリングする装置。
【請求項３】
そのうち、前記サービスユニットが、後続のデータ取得、ダウンロード、データの保護、買い物、ゲーム、サイト使用権限、サイトログイン権限の使用、電磁スイッチまたはバンキングサービとできることを特徴とする、請求項２に記載の非原初発呼番号をフィルタリングする装置。
【請求項４】
そのうち、前記着呼側業者がさらに市内電話モジュールを備え、前記フリーダイヤル電話モジュールが前記市内電話モジュールに付随し、発呼端が市内電話のとき、前記フィルタリング装置の検知モジュールを経由して前記発呼端の前記発呼信号が原初発呼番号であるか否かを検知できることを特徴とする、請求項１に記載の非原初発呼番号をフィルタリングする装置。
【請求項５】
そのうち、前記着呼側業者がフリーダイヤル電話モジュールを備え、前記発呼端が携帯電話のとき、前記発呼端が前記発呼信号を前記市内電話モジュールに対して生成し、かつ前記フィルタリング装置の検知モジュールを経由して前記発呼端の前記発呼信号が原初発呼番号であるか否かを検知できることを特徴とする、請求項４に記載の非原初発呼番号をフィルタリングする装置。
【考案の詳細な説明】
【技術分野】
【０００１】
本考案は発呼番号をフィルタリングする装置に関し、特に、着呼側業者がフリーダイヤル電話モジュールを使用するとき、発呼端の使用する発呼番号が原初発呼番号であるか否かを判断し、かつフィルタリングを行う、非原初発呼番号をフィルタリングする装置に関する。
【背景技術】
【０００２】
科学技術が進歩し続ける社会において、通信技術は非常に重要な地位を占めており、かつ通信技術も絶え間なく発展し、人と人の間の通信連絡をより便利にすると共に、経済的効果もより高められている。台湾の通信業界は主に第一類電信事業と第二類電信事業に区分されており、第一類電信事業は主に基礎ネットワークの建設を行うことができ、その基礎ネットワークの建設は、基地局の建設、ネットワーク敷設、電話線施工等を行うことができる。第二類電信事業は第一類電信事業の付属機能を借りて使用する。
【０００３】
また、現今の通信技術において、０８０、０８０９などのフリーダイヤル電話の使用はすでに非常に普及しており、着呼側業者がフリーダイヤル電話を申請するとき、着呼側業者がフリーダイヤル電話モジュールを装備し、かつ前記フリーダイヤル電話モジュールを指定の市内電話番号に付随させ、発呼端が前記フリーダイヤル電話モジュールに発呼すると、その通話料が着呼側業者の負担となり、またその通話料が着呼側業者の負担となるために、そのフリーダイヤル電話モジュールは原初発呼の通話しか着呼できない。
【０００４】
現今の一般の電話モジュールが発呼端の発呼を着呼するとき、前記発呼端の着呼番号を表示することができるが、着呼番号の真偽を判別する機能は備えておらず、発呼端が原初発呼でない場合、例えば発呼端が海外発呼、ネットワーク電話、非原初発呼番号の発呼、着呼番号の改ざん、仲買業者の着呼等中間業者を経由して通話を行うとき、着呼側業者が使用している一般の電話モジュールはフィルタリングを行うことができず、また、着呼側業者が一般の電話モジュールのとき、その電話モジュールを利用して、使用権限、電磁スイッチ、バンキングサービス、オンラインカード支払いなど、多様な権限とサービスのオン・オフや授権を行う場合、効果的に発呼端が原初発呼番号であるか否かを判別することができない。
一般の電話モジュールが着呼番号をフィルタリングできないと、悪意のある者が同じ識別コードを有する着呼番号を自ら作成し、かつその着呼番号で権限とサービスのオン・オフや授権の動作を行った場合、電話モジュールはそれら動作を継続して行い、多くの人々の権益と金銭面の侵害および損失が引き起こされてしまう。
【考案の概要】
【考案が解決しようとする課題】
【０００５】
本考案の主な目的は、従来の着呼番号をフィルタリングできないときの問題点を打破し、発呼端が使用する発呼番号が原初発呼番号であるか否かを判断し、フィルタリングすることができる、非原初発呼番号をフィルタリングする装置を提供することにある。
【０００６】
本考案の別の目的は、従来の一般的な電話モジュールが着呼番号をフィルタリングできず、非原初発呼番号で権限とサービスのオン・オフと授権の動作を完全に行うことができてしまうという問題点を打破し、発呼側が使用する発呼番号が原初発呼番号であるか否かを判断してから前記サービスユニットのオン・オフ、授権、データ取得を行うことができる、非原初発呼番号をフィルタリングする装置を提供することにある。
【課題を解決するための手段】
【０００７】
本考案の非原初発呼番号をフィルタリングする装置は、着呼側業者がフリーダイヤル電話に設定できるフリーダイヤル電話モジュールを備え、前記フリーダイヤル電話モジュールが同時に電信ネットワーク信号と接続され、前記電信ネットワークが発呼端の発呼信号をフリーダイヤル電話モジュールに送信し、前記フリーダイヤル電話モジュールが受信した発呼信号は、フィルタリング装置の検知モジュールを経由して原初発呼番号であるか否かが検知され、前記検知モジュールにより原初発呼番号であると検知されたとき、その発呼信号を着呼側業者が備えている市内電話モジュールに送信することができ、フィルタリングの実用性と進歩性を備えている。
【考案の効果】
【０００８】
本考案のフィルタリング装置は、サービスモジュールと信号接続することができ、前記サービスモジュール内に少なくとも１つの前記発呼信号に基づいて権限とサービスのオン・オフと授権を行うサービスユニットが設置され、前記サービスユニットのオン・オフ、授権、データ取得はフィルタリング装置の検知モジュールを経由してその発呼信号が原初発呼番号であるか否かを検知してから行われ、実用性と進歩性を備えている。
【図面の簡単な説明】
【０００９】
【図１】本考案の最良の実施例のブロック図である。
【図２】本考案の最良の実施例のブロック図１である。
【図３】本考案の最良の実施例のブロック図２である。
【図４】本考案の最良の実施例のブロック図３である。
【考案を実施するための形態】
【００１０】
図１に本考案の最良の実施例のブロック図を示す。この図からはっきりと分かるように、本考案は発呼番号をフィルタリングする装置であり、少なくとも１組の発呼端１、電信ネットワーク２、着呼側業者３を含んで構成され、かつ、前記発呼端１と着呼側業者３の間が前記電信ネットワーク２で接続される。
【００１１】
そのうち、前記発呼端１は発呼モジュール１１を備え、前記発呼モジュール１１は通話を行う発呼信号１２を生成することができ、かつ前記発呼信号１２は信号を前記電信ネットワーク２に送信する。
【００１２】
前記着呼側業者３は前記発呼信号１２を着呼できる市内電話モジュール３１と、フリーダイヤル電話に設定できるフリーダイヤル電話モジュール３２を備え、かつフィルタリング装置４に信号接続される。
【００１３】
そのうち、前記市内電話モジュール３１と前記フリーダイヤル電話モジュール３２と前記電信ネットワーク２間が相互に接続され、かつ前記発呼モジュール１１が生成する発呼信号１２を受信することができる。
【００１４】
前記フィルタリング装置４は前記電信ネットワーク２で前記発呼端１の発呼信号１２を受信し、かつ検知モジュール４１を備え、前記発呼端１の発呼信号１２が原初発呼番号であるか否かを検知する。
【００１５】
上述の構造、構成設計に基づき、本考案の使用作動状況を以下で説明する。同時に図２に本考案の最良の実施例のブロック図１を示す。この図からはっきりと分かるように、上述の構成の動作時、前記着呼側業者３はフリーダイヤル電話モジュール３２とフィルタリング装置４を設けることができ、前記フリーダイヤル電話モジュール３２は市内電話モジュール３１に付随し、発呼端１が発呼を行い、発呼モジュール１１が発呼信号１２を生成すると、前記発呼信号１２が前記電信ネットワーク２を経由して前記着呼側業者３に送信され、前記着呼側業者３のフリーダイヤル電話モジュール３２が前記発呼信号１２を受信し、かつ前記発呼信号１２をフィルタリング装置４に送信して番号のフィルタリングを行う。前記検知モジュール４１が前記発呼信号１２を生成する発呼モジュール１１に対して検知を行い、前記発呼モジュール１１が原初発呼番号であるか否かを検知する。前記検知モジュール４１が前記発呼モジュール１１を非原初発呼番号であると検知すると、前記発呼モジュール１１の発呼信号１２が停止され、かつ前記発呼信号１２が前記フィルタリング装置４を経由してフィルタリングされ、同時に前記着呼側業者３の市内電話モジュール３１に送信されない。前記非原初発呼番号の生成は、電話局端でない発呼者、海外発呼、ネットワーク電話の電話局端でない発呼、着呼番号の改ざん、仲買業者の着呼等の可能性があり、検知モジュール４１が発呼モジュール１１を原初発呼番号と検知すると、前記発呼信号１２は着呼側業者３の市内電話モジュール３１に送信することができ、かつフリーダイヤル電話モジュール３２に送信して、発呼端１にフリーダイヤル電話の通話を行わせることができる。
【００１６】
そのうち、前記サービスモジュール５内には少なくとも一種類の前記発呼信号１２で権限とサービスのオン・オフおよび授権を行うサービスユニット５１を備え、前記サービスユニット５１は、後続データの取得、データのダウンロードのオンまたはオフ、データの保護、買い物権限のオンまたはオフ、ゲームデータ取得の権限、ネットワーク使用権限のオンまたはオフ、サイトログイン権限使用のオンまたはオフ、電磁スイッチのオンまたはオフ、バンキングサービスの授権または停止を含むことができ、発呼モジュール１１が原初発呼番号であると検知モジュール４１が検知すると、発呼端１がフリーダイヤル電話の機能を実行し、同時にサービスモジュール５内のサービスユニット５１を実行することができる。
【００１７】
同時に図３と図４に本考案の最良の実施例のブロック図２とブロック図３を示す。これらの図からはっきりと分かるように、そのうち前記発呼端１が市内電話であり、かつ発呼を行うとき、発呼信号１２を生成し、かつ電信ネットワーク２を経由して着呼側業者３のフリーダイヤル電話モジュール３２に送信され、フリーダイヤル電話モジュール３２が前記発呼信号１２を受け取ると、前記発呼信号１２が送信されたフィルタリング装置４が番号のフィルタリングを行い、検知モジュール４１が前記発呼信号１２を生成した発呼モジュール１１に対して検知を行う。発呼信号１２が非原初発呼番号である場合、着呼側業者３の市内電話モジュール３１に送信しない。反対に、それが原初発呼番号である場合、市内電話モジュール３１が通話信号をその属する電話機に送信し、かつサービスモジュール５のサービスユニット５１を実行することができ、発呼端１が原初発呼番号であるか否かを効果的にフィルタリングし、人々の権益および金錢上の侵害と損失を回避することができる。
【００１８】
また、前記発呼端１が携帯電話であり、かつ発呼を行うときは、発呼信号１２を生成し、かつ電信ネットワーク２を経由して着呼側業者３の市内電話モジュール３１に送信され、市内電話モジュール３１が前記発呼信号１２を受け取ると、前記発呼信号１２が送信されたフィルタリング装置４が番号のフィルタリングを行い、検知モジュール４１が前記発呼信号１２を生成した発呼モジュール１１に対して検知を行う。発呼信号１２が非原初発呼番号である場合、着呼側業者３の市内電話モジュール３１に送信しない。反対に、それが原初発呼番号である場合、市内電話モジュール３１が通話信号をその属する電話機に送信し、かつサービスモジュール５のサービスユニット５１を実行することができ、発呼端１が原初発呼番号であるか否かを効果的にフィルタリングし、人々の権益および金錢上の侵害と損失を回避することができる。
【００１９】
以上の説明は本考案の最良の実施例を開示したものであり、本考案の特許範囲を限定しない。このため、本考案の明細書と図面の内容を運用した簡易な修飾や同等効果の構造変化はすべて本考案の特許範囲内に含まれるものとする。
【００２０】
全部の図に示すように、本考案の使用時には従来技術と比較して次のような利点が確実に存在する。
一、前記着呼側業者３はフリーダイヤル電話モジュール３２を備え、電信ネットワーク２は発呼端１の発呼信号１２をフリーダイヤル電話モジュール３２に送信することができ、前記フリーダイヤル電話モジュール３２が受信した発呼信号１２はフィルタリング装置４の検知モジュール４１によりそれが原初発呼番号であるか否かを検知し、前記検知モジュールが原初発呼番号であると検知すると、発呼信号１２は着呼側業者３の市内電話モジュール３１に送信でき、反対に、発呼信号１２が非原初発呼番号である場合、着呼側業者３の市内電話モジュール３１に送信されず、発呼端１が原初発呼番号であるか否かを効果的にフィルタリングすることができる。
二、前記フィルタリング装置４はサービスモジュール５に信号接続することができ、前記サービスモジュール５内には少なくとも一種類の前記発呼信号１２で権限とサービスのオン・オフおよび授権を行うサービスユニット５１を含み、前記サービスユニット５１のオン・オフ、授権またはデータ取得は、フィルタリング装置４の検知モジュール４１を経由して発呼信号１２が原初発呼番号であるか否かを検知し、前記検知モジュール４１が原初発呼番号であると検知した場合、発呼信号１２が着呼側業者３の市内電話モジュール３１に送信でき、反対に、発呼信号１２が非原初発呼番号の場合、着呼側業者３の市内電話モジュール３１に送信されず、発呼端１が原初発呼番号であるか否かを効果的にフィルタリングすることができ、かつ人々の権益と金錢上の侵害および損失を回避することができる。
【符号の説明】
【００２１】
１        発呼端
１１      発呼モジュール
１２      発呼信号
２        電信ネットワーク
３        着呼側業者
３１      市内電話モジュール
３２      フリーダイヤル電話モジュール
４        フィルタリング装置
４１      検知モジュール
５        サービスモジュール
５１      サービスユニット
【図１】
0003153590.tif 000003
【図２】
0003153590.tif 000004
【図３】
0003153590.tif 000005
【図４】
0003153590.tif 000006